(57)【要約】【課題】路肩から下る方向に傾斜した法面を有する道路の路肩の崩落防止を兼ねた法面の防草構造に関し、施工コストが安く、外観に優れ、比較的優れた耐火性も備えた構造を提供する。【解決手段】法面に木材と合成樹脂の複合材を材料として成型したパネル（ＷＰＣパネル）で覆うことを特徴とする。ＷＰＣパネル１は、上辺を路肩部のコンクリート６に止着し、下辺部をアンカーピン９で法面に止着する。路肩に設けるコンクリートは、現場打ちコンクリートとするか、予め工場で成型した路肩ブロック６を用いる。アンカーピン９は、好ましくは土中に打ち込む部分１０を金属帯板を捻じってスパイラル状としたアンカーピンを用いる。【選択図】図４
0003134088.tif 000002
【実用新案登録請求の範囲】
【請求項１】
道路の路肩に並べ置かれた路肩ブロック(6)と、上辺をこの路肩ブロックの外側縁に止着して前記路肩から降る斜面となっている法面(15)に沿わせて垂下した防草パネル(1)と、この防草パネルの下辺部を前記法面に止着しているアンカーピン(9)とを備えた法面防草構造において、前記防草パネルが木材と合成樹脂の複合材を板状に成型してなるパネルであることを特徴とする、法面の防草構造。
【請求項２】
道路の路肩から降る斜面となっている法面(15)に並べ置かれた防草パネル(1)と、この防草パネルの上縁を前記路肩の地盤に差込んだ差し筋(20)の頭部に連結している鉄線(21)と、これら差し筋の頭部及び鉄線を内包するように前記路肩に設けた現場打コンクリート(17)と、前記防草パネルの下辺部を前記法面に止着しているアンカーピン(9)とを備え、前記防草パネルが木材と合成樹脂の複合材を板状に成型してなるパネルであることを特徴とする、法面の防草構造。
【請求項３】
前記アンカーピンが、土中に打込まれる部分(10)を螺旋状に捻った金属帯板で形成したアンカーピンであることを特徴とする、請求項１又は２記載の法面の防草構造。
【請求項４】
前記防草パネルが、その内側部分(1h)より厚さを厚くした四辺部(1a,1b,1d,1e)を備えた横長矩形であり、当該四辺のうちの両側辺部(1b,1d)に隣接する防草パネルの側辺と重合させる重合縁部(1f,1g)を備え、当該重合縁部は、前記四辺部の厚さの１／２の厚さであることを特徴とする、請求項１又は２記載の法面の防草構造。
【請求項５】
前記防草パネルの上面が光を乱反射する粗面とされている、請求項１又は２記載の法面の防草構造。
【考案の詳細な説明】
【技術分野】
【０００１】
この考案は、盛り土をして構築した道路のように、その両側又は一側の路肩から下る方向に傾斜した法面を有する道路の当該路肩の崩落の防止及び当該法面に雑草が生えるのを防止（防草）する構造に関するものである。
【背景技術】
【０００２】
盛り土をして構築した道路の路肩に続く土の法面は、そのままにしておくと雑草が生い茂り、草刈のために多大な労力と経費が必要になる。また、土の法面の頂部に位置する路肩は、降雨により土が流れてアスファルトの表層が庇状になって崩落する危険もあり、これに対する維持管理上の注意も必要である。そこで路肩の保護を兼ねた法面の防草構造として、路肩にコンクリート二次製品からなる路肩ブロックを敷き並べ、法面には板状の法張りブロックを敷き並べて路肩の保護と共に法面の保護及び防草を行う保護構造が公知である。
【０００３】
法張りブロックで法面の防草を行う構造は、ブロックが重たいために付設にパワーショベルやクレーンなどの重機を必要とし、コスト高になる。そこで再生プラスチックでできた防草板や不織布でできた防草シートを法面に被せて防草を行う構造が提案されている。
【０００４】
例えば下記特許文献１には、再生プラスチックで道路路肩段面に整合して形成した路肩保護兼雑草防止装置が提案されており、特許文献２には、間伐材などの複数の木材を並列に索条又は線材で連結した構造の路肩の防草構造が示されている。また、特許文献３には、路肩ブロックの成型時にポリプロピレン製の織布の上辺を当該ブロックと一体化して成型し、当該織布で法面を覆う構造が提案されている。
【特許文献１】登録実用新案第３０９１２１５号公報
【特許文献２】特開２００４−１８３２７０号公報
【特許文献３】特開２００５−３０７５１８号公報
【考案の開示】
【考案が解決しようとする課題】
【０００５】
土の法面を法張りブロックなどのコンクリート二次製品で覆って防草を行う構造は、ブロックが重いために重機を用いてブロックの付設を行わなければならず、施工にコストがかかる。一方、法面を織布ないし不織布などのシートで覆って防草する構造は、施工が容易であり、施工コストを安価にできるが、火に弱く、煙草の火や野焼きの飛び火などによって燃える危険がある。また廃プラスチックパネルで法面を覆う構造は、廃プラスチックの燃焼熱が大きいために火災が発生したときの類焼の危険や環境への悪影響が大きい。
【０００６】
この考案は、上述した従来構造の問題に鑑み、施工コストが安く、外観に優れ、比較的優れた耐火性も備えた法面の防草構造を提供することを課題としている。
【課題を解決するための手段】
【０００７】
この考案は、法面に木材と合成樹脂の複合材を材料として予め工場で成型したパネル（以下、「ＷＰＣパネル」と言う。ＷＰＣはウッド・プラスチック・コンビネーションの頭文字を取ったものである。）で覆うことを特徴とする防草構造を提供することによって、上記課題を解決したものである。ＷＰＣパネル１は、上辺を路肩部のコンクリート６、１７にボルトなどで止着し、下辺部をアンカーピン９で法面に止着して固定する。左右方向に連接するＷＰＣパネル相互は、隣接する重合縁部１ｆ、１ｇ相互を重ね合せて隙間が生じないようにする。ＷＰＣパネルを上下に連接する場合も、その対向辺を重合（重ね合わせ）してアンカーピンで止着する。
【０００８】
路肩に設けるコンクリートは、現場打ちコンクリート１７とするか、予め工場で所定寸法に成型した路肩ブロック６を用いる。アンカーピン９は、好ましくは土中に打ち込む部分１０を金属帯板を捻じってスパイラル状としたアンカーピン（以下、「螺旋アンカーピン」という）を用いる。
【０００９】
ＷＰＣパネル１は、その上辺部と下辺部とに所定間隔でボルト孔２及びピン孔３を設けておき、ボルト孔２に挿通したボルト４を介して路肩のコンクリート６、１７に止着する。下辺部はピン孔３に螺旋アンカーピン９を捻じりながら打ち込んで止着する。隣接するＷＰＣパネルを重ね合わせた部分は、タッピングねじを所定間隔でねじ込むか、アンカーピンを打込んで、重合したパネル相互の間に隙間が生じないようにするのが好ましい。
【００１０】
ＷＰＣパネル１は、その表面を粗面として太陽光を乱反射させる構造が安全上及び美観上好ましい。ＷＰＣパネルは、破砕した木材にモノマー （プラスチックの原料で液状のもの）を重合剤（硬化剤）とともに混練して加熱成型する方法、微粉化した木材とポリエチレンやポリプロピレン等の熱可塑性プラスチックとを混練して溶融成型する方法で製造することができる。
【００１１】
この出願の請求項１の考案に係る法面の防草構造は、路肩コンクリートとして予め成型された路肩ブロック６を用いる構造で、道路の路肩に並べ置かれた路肩ブロック６と、上辺をこの路肩ブロックの外側縁に止着して前記路肩から降る斜面となっている法面１５に沿わせて垂下した防草パネル１と、この防草パネルの下辺部を前記法面に止着しているアンカーピン９とを備え、前記防草パネル１が木材と合成樹脂の複合材を板状に成型してなるパネルであることを特徴とする法面の防草構造である。
【００１２】
また、この出願の請求項２の考案に係る法面の防草構造は、路肩コンクリートとして現場打ちコンクリート１７を用いる構造で、道路の路肩から降る斜面となっている法面１５に並べ置かれた防草パネル１と、この防草パネルの上縁を前記路肩の地盤に差込んだ差し筋（鉄筋）２０の頭部に連結している鉄線２１と、これら差し筋２０の頭部及び鉄線２１を内包するように前記路肩に設けた現場打コンクリート１７と、前記防草パネル１の下辺部を前記法面１５に止着しているアンカーピン９とを備え、前記防草パネル１が木材と合成樹脂の複合材を板状に成型してなるパネルであることを特徴とする法面の防草構造である。
【００１３】
本願の請求項３〜５の考案は、上記請求項１又は２の防草構造のより好ましい構造を提案するもので、請求項３の考案は、上記手段を備えた法面の防草構造において、前記アンカーピン９が、土中に打込まれる部分１０を螺旋状に捻った金属帯板で形成したアンカーピンであることを特徴とするものである。
【００１４】
また、本願の請求項４の考案は、上記手段を備えた法面の防草構造において、前記防草パネル１が、その内側部分１ｈより厚さを厚くした四辺部１ａ、１ｂ、１ｄ、１ｅを備えた横長矩形であり、当該四辺のうちの両側辺１ｂ、１ｄに隣接する防草パネルの側辺と重合させる重合縁部１ｆ、１ｇを備え、当該重合縁部は、前記四辺部の厚さの１／２の厚さであることを特徴とするものである。
【００１５】
また、本願の請求項５の考案は、上記手段を備えた法面の防草構造において、前記防草パネル１の上面が光を乱反射する粗面とされていることを特徴とするものである。
【００１６】
ＷＰＣパネル１は、木材のような外観を呈するので、廃プラスチックのみからなるパネルに比較して外観に優れ、またプラスチックに比べて引火性及び発熱量の低い木材を多量に含んでいるので、火災の危険や火による損傷が少なく、リサイクル可能な材料であるため、環境保護の点でも優れている。
【考案の効果】
【００１７】
この考案の防草構造で道路脇の土の法面を保護することにより、法面に雑草が生い茂るのを防止できるので除草の手間が省け、また法面を崩落から保護することにより路肩が崩落するのを防止でき、道路の維持管理コストを低減できる。そしてこの考案の法面の防草構造は、施工が容易で施工コストを比較的安価にできると共に、火による損傷や火災等の危険が少なく、かつ外観にも優れているという効果がある。
【考案を実施するための最良の形態】
【００１８】
以下、この考案の好ましい実施形態を示す図面を参照して、この考案の具体例について説明する。図１ないし図３は、この考案のＷＰＣパネルの好ましい形状の一例を示す図面である。図のＷＰＣパネル１は、例えば幅２ｍ、高さ１ｍの大きさで、その周囲及び幅中央の縦方向に所定幅（５０〜７０ｍｍ）で厚さを厚くした補強枠部１ａ、１ｂ、１ｃ、１ｄ、１ｅが形成されている。更に両側辺の補強枠部１ｂ、１ｄには、その厚さを半分にした重合縁部１ｆ、１ｇが形成されている。枠部を除いたパネル内側部１ｈは、パネル裏面側を凹ませてパネル厚さを薄くし、材料の節約を図っている。
【００１９】
図の例では補強枠部１ａ、１ｂ、１ｃ、１ｄ、１ｅの厚さ１０ｍｍ、重合縁部１ｆ、１ｇの厚さ５ｍｍ、薄くした内側部１ｈの厚さ５ｍｍである。なお、重合縁部１ｆ、１ｇの幅は５０〜６０ｍｍとし、この部分を重合して所定間隔（例えば２００ｍｍ間隔）でタッピングねじをねじ込み、重ね合わされた重合縁部相互を止着している。
【００２０】
ＷＰＣパネルの上縁の補強縁部１ａには、直径１０〜１５ｍｍのボルト孔２が所定間隔（例えば５００ｍｍ間隔）で設けてある。また、ＷＰＣパネルの下縁の補強縁部１ｅには、直径１０〜１５ｍｍのピン孔３が所定間隔（例えば５００ｍｍ間隔）で設けてある。図のＷＰＣパネル１の表面は、図には表れていないが、細かい凹凸のある粗面となっており、太陽光を乱反射させる構造である。
【００２１】
図４は、路肩コンクリートとしてコンクリートブロックを用いたこの考案の防草構造の一例を示す断面図である。ＷＰＣパネル１と路肩ブロック６の連接部の詳細構造は図５に、アンカーピン（螺旋アンカーピン）の詳細は図６に示されている。路肩ブロック６は、その法面側の縁に４５度の斜面を設け、当該斜面部分に所定間隔でインサートナット８を埋設して成型したコンクリートブロックで、平面視は道路の延在方向に細長い矩形である。また、螺旋アンカーピン９は、幅１２ｍｍ、厚さ２．５ｍｍの帯鋼を捻じって螺旋を形成した打込み部１０を備え、頭部に六角頭１１を一体に溶接した構造である。ピン先端１２は、Ｖ形に尖らしてある。
【００２２】
図４の防草構造は、路肩の基礎１４の上に敷き並べた路肩ブロックのインサートナット８にＷＰＣパネルのボルト孔２に挿通したボルト４を螺合してＷＰＣパネル１の上縁を路肩ブロック６に止着し、ピン孔３に螺旋アンカーピン９をそのねじ込み方向に回しながら打ち込んでＷＰＣパネル１の下縁を法面１５に止着した構造である。左右方向（道路の延在方向）に隣接するＷＰＣパネル相互は、前述したようにその重合縁部１ｆ、１ｇを重ね合わせ、図示しないタッピングねじで止着している。
【００２３】
ＷＰＣパネル１の上縁は、螺旋アンカーピン９で下縁を固定したあと、ボルト４を増し締めし、更に路肩ブロック６との間にできた隙間にモルタル１６を流し込んで固定している。なお、図には示してないが、ＷＰＣパネルを挟むボルト頭やナットには必要に応じて丸ワッシャを介装する。また、法面１５は、ＷＰＣパネル１を覆着する前に、もし草が生えていれば除草したあと、平らな面に整形しておく。
【００２４】
図７は、路肩コンクリートとして現場打ちコンクリート１７を用いた構造の例を示す断面側面図である。この構造の場合は、路肩部に現場打ちコンクリート１７を打ち込む凹所（段差）を掘削し、法面１５を平らな斜面に整形したあと、ＷＰＣパネル１をその上辺が掘削した凹所の部分にはみ出すようにして下辺の高さを仮杭などで規定して並べ、螺旋アンカーピン９によるＷＰＣパネル１の下辺の固定と左右方向に連接するＷＰＣパネル１相互の重合縁部のタッピングねじによる止着とを行う。次に、締めナット１８でＷＰＣパネルのボルト孔２に固定されたボルト４に抜け止めナット１９を緩くねじ込み、掘削した凹所の略中央部に打ち込んだ差し筋２０とボルト４とを鉄線２１で連結する（図８参照）。その後、差し筋２０の頭部及び鉄線２１を内包するように掘削した凹所に現場打ちコンクリート１７を流し込むことにより、この考案の防草構造とする。
【図面の簡単な説明】
【００２５】
【図１】ＷＰＣパネルの一例を示す平面図
【図２】同横断面図
【図３】同縦断面図
【図４】第１実施形態の断面側面図
【図５】路肩ブロックとＷＰＣパネルの連接部の拡大側面図
【図６】螺旋アンカーピンの詳細図
【図７】第２実施形態の断面側面図
【図８】図７のＷＰＣパネルの止着構造を示す拡大側面図
【符号の説明】
【００２６】
１  ＷＰＣパネル
1a  補強枠部（上）
1b  補強枠部（左）
1d  補強枠部（右）
1e  補強枠部（下）
1f  重合縁部（左）
1g  重合縁部（右）
1h  パネル内側部
６  路肩ブロック
９  螺旋アンカーピン
10  打込み部
15  法面
17  現場打ちコンクリート
20  差し鉄筋
【図１】
0003134088.tif 000003
【図２】
0003134088.tif 000004
【図３】
0003134088.tif 000005
【図４】
0003134088.tif 000006
【図５】
0003134088.tif 000007
【図６】
0003134088.tif 000008
【図７】
0003134088.tif 000009
【図８】
0003134088.tif 000010